(57)【要約】【課題】光源間を接続する配線が乱雑となることを抑え、放熱フィン取付時に、配線を挟み込むことを防止するダウンライトを提供する。【解決手段】本発明は取付基板に先端が光源接続用通電部を形成する配線を埋め込んで配線を固定し、なおかつ放熱フィンの下面に設けられた光源の配線接続用通電部を設けることで、放熱フィン取付時に光源接続用通電部と配線接続用通電部とが接触することで光源に電力を供給することが可能とする構成とした。【選択図】  図１
2015005345.tif 000002
【特許請求の範囲】
【請求項１】
電力を供給する電源ユニットと、
熱を放熱する放熱フィンと、
前記電源ユニットから電力の供給を受けるコネクタと、
貫通孔が形成され、前記コネクタと前記放熱フィンとが設置される取付基板と、
前記放熱フィンと前記取付基板との間に設置され、前記貫通孔と重なる位置に設けられる光源と、
前記取付基板の前記光源が設置される面に、前記コネクタと前記光源とを電気的に接続する配線とを備え、
前記取付基板は、前記光源が設置される面に、前記貫通孔からコネクタが設置される位置まで溝が形成され、前記溝に前記配線が設置されることを特徴とするダウンライト。
【請求項２】
前記光源は、第一の通電部を備え、
前記配線は、第二の通電部を備え、
前記放熱フィンは、前記取付基板に設置される面に前記光源を備え、前記取付基板に設置されることで、前記第一の通電部と、前記第二の通電部とを接触させ、前記光源と前記配線とを電気的に接続させて、前記電源ユニットから供給される電力を前記光源へ供給させることを特徴とする請求項１に記載のダウンライト。
【請求項３】
前記取付基板は、前記放熱フィンが設置される位置が前記放熱フィンの形状に窪んで形成されたことを特徴とする請求項１又は請求項２に記載のダウンライト。
【請求項４】
前記放熱フィンは、外周に突起を有し、
前記取付基板は、前記放熱フィンが接続される面に爪を有し、前記爪が前記突起にかみ合うことによって前記放熱フィンを固定することを特徴とする請求項１から請求項３のいずれかに記載のダウンライト。
【発明の詳細な説明】
【技術分野】
【０００１】
本発明は、天井に設置される照明器具に関する。
【背景技術】
【０００２】
従来のダウンライトは、ＬＥＤ（Ｌｉｇｈｔ  Ｅｍｉｔｔｉｎｇ  Ｄｉｏｄｅ）等の光源の熱を放熱するための放熱装置（放熱フィン）を備えている。また、放熱フィンは、光源の上部に設けられ、光源を支持する取付基板上に接続されている。（例えば、特許文献１）
【０００３】
また、光源は、灯具の外部に設けられた電源ユニットから電源接続線を介して電力の供給を受けて発光する。また、供給された電力は各光源同士を接続する電線によって各光源へ分配される。
【先行技術文献】
【特許文献】
【０００４】
【特許文献１】特開２０１２−４８９９６号公報
【発明の概要】
【発明が解決しようとする課題】
【０００５】
しかしながら、光源は複数あることが通常であり、光源同士を接続する配線は乱雑に絡む可能性がある。また、放熱フィンの下部で配線される為、放熱フィンの接続時に挟み込むおそれもあり、不具合を引き起こす可能性があった。
【０００６】
本発明は、光源間を接続する配線を効率的に配線可能なダウンライトを提供することを目的とする。
【課題を解決するための手段】
【０００７】
本発明のダウンライトは電力を供給する電源ユニットと、熱を放熱する放熱フィンと、前記電源ユニットから電力の供給を受けるコネクタと、貫通孔が形成され、前記コネクタと前記放熱フィンとが設置される取付基板と、前記放熱フィンと前記取付基板との間に設置され、前記貫通孔と重なる位置に設けられる光源と、前記取付基板の前記光源が設置される面に、前記コネクタと前記光源とを電気的に接続する配線とを備え、前記取付基板は、前記光源が設置される面に、前記貫通孔からコネクタが設置される位置まで溝が形成され、前記溝に前記配線が設置されることを特徴とする。
【発明の効果】
【０００８】
本発明のダウンライトは、取付基板に形成された溝に配線が設けられるので、配線が乱雑となることを防止し、放熱フィンの接続時に配線の挟み込みを防止することができる。
【図面の簡単な説明】
【０００９】
【図１】実施の形態１に係るダウンライトの斜視図。
【図２】実施の形態１に係るダウンライトの上面図。
【図３】実施の形態１に係る放熱フィンの下面拡大図。
【図４】実施の形態１に係る取付基板を示す図。
【図５】実施の形態１に係る配線埋め込み後の取付基板を示す図。
【図６】実施の形態１に係る取付基板と放熱フィンとの接続方法を説明する図。
【図７】実施の形態１に係る放熱フィンの拡大図。
【図８】実施の形態１に係る放熱フィンと取付基板との連結部の拡大図。
【発明を実施するための形態】
【００１０】
実施の形態１．
以下、図１から図８を用いて実施の形態１に係るダウンライトについて説明する。図１は実施の形態１に係るダウンライトの斜視図である。図２は実施の形態１に係るダウンライトの上面図である。図３は実施の形態１に係る放熱フィンの下面拡大図。図４は実施の形態１に係る取付基板を示す図である。図５は実施の形態１に係る配線埋め込み後の取付基板を示す図である。図６は実施の形態１に係る取付基板と放熱フィンとの接続方法を説明する図である。図７は実施の形態１に係る放熱フィンの拡大図である。図８は実施の形態１に係る放熱フィンと取付基板との連結部の拡大図である。
【００１１】
以下、図１から図８を用いて実施の形態１に係るダウンライトの構成について説明する。
【００１２】
ダウンライトは、灯具１、電源ユニット２から構成される。また、灯具１と電源ユニット２は互いに電源接続線３で電気的に接続されている。
【００１３】
灯具１は、取付基板１１、放熱フィン１２、ケーシング１３、取付部１４から構成される。
【００１４】
取付基板１１は、プラスチック等の素材で円形に形成される。また、取付基板１１は、図２に示すように、表面に配線１６が埋め込まれている。さらに、配線１６は、コネクタ１５と電源接続線３を介して電源ユニット２と接続されている。取付基板１１は、下面にケーシング１３が取り付けられている。ケーシング１３は、接続用ボルト１４ａで取付部１４と固定される。取付部１４が天井に固定されることによって、灯具１は天井に固定される。
【００１５】
放熱フィン１２は、熱伝導性の高いアルミのダイキャストで作られており、取付基板１１の表面に複数設けられる。放熱フィン１２は、図３に示すように、下面に光源１７を有する。このように、１つの放熱フィン１２の下面に１つの光源１７が設けられることによって、ダウンライトに設ける光源１７の数の異なる製品に対しても、製品ごとの発熱量に対応する放熱フィンを作成する必要がなく、生産コストを低減することができる。さらに、光源１７は、配線接続用通電部（第一の通電部）１８ａ、１８ｂを有する。この配線接続用通電部１８ａ、１８ｂは配線１６と電気的に接続される。なお、光源１７は、例えば、ＣＯＢ（Ｃｈｉｐ  Ｏｎ  Ｂｏａｒｄ）仕様及び多灯仕様のＬＥＤがこれにあたる。
【００１６】
電源ユニット２は、光源１７へ電力を供給する。電源ユニット２は、電源接続線３と電気的に接続され、コネクタ１５、配線１６、配線接続用通電部１８ａ、１８ｂを介して光源１７へ電力を供給する。
【００１７】
次に、図４を用いて、取付基板１１に埋め込まれる配線１６の取り付けについて詳細に説明する。図４は実施の形態１に係る取付基板を示す図である。
【００１８】
図４に示すように、取付基板１１は複数の放熱フィン１２が取り付けられる放熱フィン取付部１１１が放熱フィン１２の下面の形状である扇形に窪ませて形成されている。
【００１９】
また、取付基板１１は、貫通孔１１２を有する。貫通孔１１２は、放熱フィン１２が放熱フィン取付部１１１に取り付けられた際に、光源１７の位置と重なる位置に形成されている。また、貫通孔１１２は、光源１７と同じ径又は光源１７よりも大きい径で形成されている。したがって、貫通孔１１２は、放熱フィン１１２の下面に配置される光源１７の光を遮らないように形成されている。すなわち、ダウンライトを設置し、点灯した際には、貫通孔１１２から光が照射される。
【００２０】
さらに、取付基板１１は、すべての貫通孔１１２と接続される溝１１３が形成されている。溝１１３は導電線１６１、絶縁カバー１６２が順次埋め込まれる。なお、配線１６は、この導電線１６１と絶縁カバー１６２とから構成される。また、溝１１３は、全ての貫通孔１１２を介してコネクタ取付部１１４に接続される。コネクタ取付部１１４はコネクタ１５の形に形成され、コネクタ１５が埋め込まれる。
【００２１】
次に、図５から図８を用いて、放熱フィン１２の取り付けについて説明する。
【００２２】
図５において、導電線１６１は絶縁カバー１６２で覆われ、配線１６を構成している。一方、配線１６のうち貫通孔１１２の外周に接する部分は、導電線１６１がむき出しに形成されている。なお、導電線１６１がむき出しに形成された部分を、光源接続用通電部（第二の通電部）１６１ａ、１６１ｂとする。放熱フィン取付部１１１に放熱フィン１２が取り付けられることによって、配線接続用通電部１８ａと光源接続用通電部１６１ａ、配線接続用通電部１８ｂと光源接続用通電部１６１ｂがそれぞれ接続される。このように構成することで、放熱フィン１２を取付基板１１に設置する際に配線１６を挟み込むことなく、簡易に設置することが可能となる。
【００２３】
また、図６に示すように、取付基板１１は、連結用爪１１５が形成される。連結用爪１１５は、１つの放熱フィン取付部１１１に対して２つ形成され、扇形に形成された放熱フィン取付部１１１の長い辺に向かい合うように形成されている。さらに、図７に示すように放熱フィン１２には連結用突起１２１が形成されている。連結用突起１２１は、放熱フィン１２の両面で、光源１７に近い位置に形成されている。この連結用爪１１５と連結用突起１２１がかみ合わさることによって放熱フィン１２と取付基板１１とが連結される（図８）。
【００２４】
なお、実施の形態１に係るダウンライトにおいて、光源１７は放熱フィン１２の下面に取り付けられるものとしたが、これに限らず、光源１７が取付基板１１と放熱フィン１２との間に取り付けられればよい。例えば、光源１７は、直接取付基板１１に取り付けられるものとしてもよい。
【００２５】
また、実施の形態１に係るダウンライトにおいて、放熱フィン１２は複数取り付けられるものとしたが、これに限らず、複数の放熱フィン１２を一体形成するものとしてもよい。
【００２６】
さらに、図１、図２、図４、図５、図６の説明において、放熱フィン１２の数及び貫通孔１１２の数は８個であるものとしたが、これに限られず、光源１７の数に合わせて設けられればいくつ設けられてもよい。
【００２７】
また、実施の形態１に係るダウンライトにおいて、取付基板１１に形成された放熱フィン取付部１１１は、扇形であるものとしたが、これに限らず、放熱フィン１２の下面と同一形状であればよい。例えば、放熱フィン取付部１１１は、矩形状、三角形状、円形状等いずれの形状で形成されてもよい。
【００２８】
以上のように、実施の形態１に係るダウンライトは、取付基板に配線が埋め込まれる構成としたので、配線が乱雑に配置されることを防止することができる。また、配線を固定する部材が不必要となるため、生産コストを削減することができる。
【００２９】
また、実施の形態１に係るダウンライトは、取付基板に配線が埋め込まれる構成としたので、放熱フィンの取付時に配線を取付基板との間に挟み込むことを防止することができる。
【００３０】
さらに、実施の形態１に係るダウンライトは、放熱フィンの下面に設けられた配線接続用通電部と、取付基板に設けられた配線の光源接続用通電部とが接触することによって、光源と配線とが電気的に接続されるように構成されるので、光源と配線とを電気的に接続する際に容易に接続することができる。
【符号の説明】
【００３１】
１  灯具、２  電源ユニット、３  電源接続線、１１  取付基板、１２  放熱フィン、１３  ケーシング、１４  取付部、１４ａ  接続用ボルト、１５  コネクタ、１６  配線、１７  光源、１８ａ、１８ｂ  配線接続用通電部、１１１  放熱フィン取付部、１１２  貫通孔、１１３  溝、１１４  コネクタ取付部、１１５  連結用爪、１２１連結用突起、１６１  導電線、１６１ａ、１６１ｂ  光源接続用通電部、１６２  絶縁カバー
【図１】
2015005345.tif 000003
【図２】
2015005345.tif 000004
【図３】
2015005345.tif 000005
【図４】
2015005345.tif 000006
【図５】
2015005345.tif 000007
【図６】
2015005345.tif 000008
【図７】
2015005345.tif 000009
【図８】
2015005345.tif 000010